(57)【要約】【課題】  本発明は簡単に短時間にきゅうくつになることなく正しく取付けることができるとともに、使用中に移動したり、使用状態で寝ても胸当て部材の下部で口を塞ぐのを確実に防止できる、安全で着脱が容易にできるよだれかけを得るにある。【解決手段】  ほぼＵ字状の首当て部が形成された胸当て部材と、この胸当て部材のほぼＵ字状の首当て部のほぼ中央部より外方へ突出するように縫着、あるいは一体形成された着衣の襟元で折り曲げられ、着衣の内部へ挿入される位置ずれ防止片と、前記胸当て部材のほぼＵ字状の首当て部の上端部に一端部が取付けられ、他端部が該胸当て部材の下部寄りの両端部に取付けられた一対の肩掛け用ゴム紐とでよだれかけを構成している。【選択図】  図１
2010189786.tif 000002
【特許請求の範囲】
【請求項１】
ほぼＵ字状の首当て部が形成された胸当て部材と、この胸当て部材のほぼＵ字状の首当て部のほぼ中央部より外方へ突出するように縫着、あるいは一体形成された着衣の襟元で折り曲げられ、着衣の内部へ挿入される位置ずれ防止片と、前記胸当て部材のほぼＵ字状の首当て部の上端部に一端部が取付けられ、他端部が該胸当て部材の下部寄りの両端部に取付けられた一対の肩掛け用ゴム紐とからなることを特徴とするよだれかけ。
【請求項２】
位置ずれ防止片は胸当て部材のほぼＵ字状の首当て部のほぼ中央部に縫着された折り曲げ部と、この折り曲げ部と一体形成された円弧状の挿入片とで構成されていることを特徴とする請求項１記載のよだれかけ。
【発明の詳細な説明】
【技術分野】
【０００１】
本発明は乳幼児や要介護の人の使用に最適なよだれかけに関する。
【背景技術】
【０００２】
従来のよだれかけは首の裏側を結ばれる結び紐で胸部分に胸当て部が位置するように吊り下げて使用するようになっている。
このため、結び紐での取付けに手数がかかるるとともに、胸当て部が移動しやすく、結び紐での結び方によってはきゅうくつになって使用者に嫌がられてしまうという欠点があった。
また、使用した状態で寝た場合、胸当て部の下部がめくれて口を塞いでしまうという危険があった。
【先行技術文献】
【特許文献】
【０００３】
【特許文献１】特開２００４−２４４７８２
【発明の概要】
【発明が解決しようとする課題】
【０００４】
本発明は以上のような従来の欠点に鑑み、簡単に短時間にきゅうくつになることなく正しく取付けることができるとともに、使用中に移動したり、使用状態で寝ても胸当て部材の下部で口を塞ぐのを確実に防止できる、安全で着脱が容易にできるよだれかけを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はほぼＵ字状の首当て部が形成された胸当て部材と、この胸当て部材のほぼＵ字状の首当て部のほぼ中央部より外方へ突出するように縫着、あるいは一体形成された着衣の襟元で折り曲げられ、着衣の内部へ挿入される位置ずれ防止片と、前記胸当て部材のほぼＵ字状の首当て部の上端部に一端部が取付けられ、他端部が該胸当て部材の下部寄りの両端部に取付けられた一対の肩掛け用ゴム紐とでよだれかけを構成している。
【発明の効果】
【０００７】
以上の説明から明らかなように、本発明にあっては次に列挙する効果が得られる。
【０００８】
（１）位置ずれ防止片を着衣の襟元で折り曲げ、着衣の内部へ挿入することで胸当て部材を胸部に取付けることができるとともに、一対の肩掛け用ゴム紐内へ両腕を通すことで肩掛け状態となり、移動を阻止することができる。
したがって、移動して着衣を汚したりするのを確実に防止することができる。
【０００９】
（２）前記（１）により、一対の肩掛け用ゴムによって、胸当て部材の下部がめくれて、寝ている時に口を塞いだりする折り曲げや移動を確実に防止することができる。
【００１０】
（３）前記（１）により、一対の肩掛け用ゴムに両腕を通し、位置ずれ防止片を着衣の襟元で内側へ折り曲げ、着衣の内部へ挿入するだけで正確な位置に取付けることができる。
したがって、従来の結び紐を用いるものに比べ、常に同じ状態で取付けて使用することができる。
【００１１】
（４）請求項２も前記（１）〜（３）と同様な効果が得られるとともに、位置ずれ防止片の折り曲げ部で、着衣の襟元で内側へ折り曲げるのが容易で、かつ円弧状の挿入片で移動しずらく、かつ直接肌に付いても円弧状であるため違和感なく位置させることができる。
【図面の簡単な説明】
【００１２】
【図１】本発明を実施するための第１の形態の使用状態の正面図。
【図２】本発明を実施するための第1の形態の使用状態の背面図。
【図３】図1の３−３線に沿う断面図。
【図４】本発明を実施するための第１の形態の正面図。
【図５】本発明を実施するための第１の形態の背面図。
【図６】本発明を実施するための第１の形態の側面図。
【図７】本発明を実施するための第１の形態の平面図。
【図８】本発明を実施するための第１の形態の底面図。
【図９】本発明を実施するための第１の形態の腕を通した状態の説明図。
【図１０】本発明を実施するための第１の形態の位置ずれ防止片の取付け状態の説明図。
【図１１】本発明を実施するための第１の形態の胸当て部材の下部がめくれた状態の説明図。
【図１２】本発明を実施するための第２の形態の使用状態の正面図。
【図１３】本発明を実施するための第２の形態の正面図。
【図１４】本発明を実施するための第２の形態の背面図。
【図１５】本発明を実施するための第３の形態の使用状態の正面図。
【図１６】本発明を実施するための第３の形態の正面図。
【図１７】本発明を実施するための第３の形態の背面図。
【図１８】本発明を実施するための第４の形態の使用状態の正面図。
【図１９】本発明を実施するための第4の形態の正面図。
【図２０】本発明を実施するための第4の形態の背面図。
【発明を実施するための形態】
【００１３】
以下、図面に示す本発明を実施するための形態により、本発明を詳細に説明する。
【００１４】
図１ないし図１１に示す本発明を実施するための第１の形態において、１は乳幼児や要介護者が最適に使用することができる本発明のよだれかけで、このよだれかけ1はほぼＵ字状の首当て部２が形成された胸当て部材３と、この胸当て部材３のほぼＵ字状の首当て部２のほぼ中央部より外方へ突出するように縫着された、着衣4の襟元５で折り曲げられ、着衣4の内部へ挿入される位置ずれ防止片6と、前記胸当て部材３のほぼＵ字状の首当て部２の上端部に一端部が縫着固定され、他端部が該胸当て部材３の下部寄りの両端部に縫着固定された一対の肩掛け用ゴム紐７、７とで構成されている。
【００１５】
前記胸当て部材３は普通によだれかけとして使用される布地や、表面が軟質で吸水性のよい綿布を使用し、裏面が防水シートとなるものを使用してもよい。
【００１６】
前記位置ずれ防止片6は前記胸当て部材３のほぼＵ字状の首当て部２のほぼ中央部に縫着された折り曲げ部８と、この折り曲げ部８と一体形成された、該折り曲げ部８の幅寸法よりも大きな幅寸法の円弧状の挿入片９とで構成されている。
【００１７】
上記構成のよだれかけ１は図９に示すように、一対の肩掛け用ゴム紐７、７内に両腕１０、１０を通して、胸部に胸当て部材３を位置させる。
しかる後、位置ずれ防止片６を着衣４の襟元５で折り曲げ、着衣４の内部へ手で押し込んで挿入することで、胸当て部材３が使用者の胸部に上下左右方向に位置ずれすることなく、着用させることができる。
また、よだれかけ１を着用したままうつ伏せで寝た場合でも、胸当て部材３は一対の肩掛け用ゴム紐７、７の他端部が取付けられている部位の下部位置が、図１１に示すようにめくれるだけで、口部を覆ったりするのを確実の防止でき、安全に使用することができる。
[発明を実施するための異なる形態]
【００１８】
次に、図１２ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１２ないし図１４に示す本発明を実施するための第２の形態において、前記本発明を実施するための第１の形態と主に異なる点は、胸当て部材３のＵ字状の首当て部２のほぼ中央部に逆台形状の位置ずれ防止片６Ａを縫着固定した点で、このような位置ずれ防止片６Ａを設けた、よだれかけ１Ａにしても、前記本発明を実施するための第１の形態と同様な作用効果が得られる。
【００２０】
図１５ないし図１７に示す本発明を実施するための第３の形態において、前記本発明を実施するための第１の形態と主に異なる点は、胸当て部材３のＵ字状の首当て部２のほぼ中央部に長方形状の位置ずれ防止片６Ｂを縫着固定、あるいは胸当て部材３と一体形成した点で、このように構成した位置ずれ防止片６Ｂを設けた、よだれかけ１Ｂにしても、前記本発明を実施するための第１の形態と同様な作用効果が得られる。
【００２１】
図１８ないし図２０に示す本発明を実施するための第４の形態において、前記本発明を実施するための第１の形態と主に異なる点は、胸当て部材３の背面に着衣４に着脱可能に接着する面ファスナー１１を接着あるいは縫着した点で、このように胸当て部材３の背面に面ファスナー１１を設けた、よだれかけ１Ｃにしても、前記本発明を実施するための第１の形態と同様な作用効果が得られる。
本実施の形態では面ファスナー１１の代わりに両面接着テープを用いてもよい。
【００２２】
なお、前記本発明の各実施の形態の胸当て部材３の両側部に、胸当て部材３がめくれるのを防止するため、合成樹脂材等を用いた板状の弾性部材を縦方向に内蔵してもよい。
また、前記本発明の各実施の形態では、乳幼児用のよだれかけにいて説明したが、本発明はこれに限らず、大きさを変えることにより、要介護の人用のよだれかけとして同様に使用することができる。
【産業上の利用可能性】
【００２３】
本発明はよだれかけを製造する産業で利用される。
【符号の説明】
【００２４】
１、１Ａ、１Ｂ、１Ｃ：よだれかけ、
２：首当て部、                ３：胸当て部材、
４：着衣、                    ５：襟元、
６、６Ａ、６Ｂ：位置ずれ防止片、
７：肩掛け用ゴム紐、          ８：折り曲げ部、
９：挿入片、                  １０：両腕、
１１：面ファスナー。
【図１】
2010189786.tif 000003
【図２】
2010189786.tif 000004
【図３】
2010189786.tif 000005
【図４】
2010189786.tif 000006
【図５】
2010189786.tif 000007
【図６】
2010189786.tif 000008
【図７】
2010189786.tif 000009
【図８】
2010189786.tif 000010
【図９】
2010189786.tif 000011
【図１０】
2010189786.tif 000012
【図１１】
2010189786.tif 000013
【図１２】
2010189786.tif 000014
【図１３】
2010189786.tif 000015
【図１４】
2010189786.tif 000016
【図１５】
2010189786.tif 000017
【図１６】
2010189786.tif 000018
【図１７】
2010189786.tif 000019
【図１８】
2010189786.tif 000020
【図１９】
2010189786.tif 000021
【図２０】
2010189786.tif 000022